(57)【要約】【課題】投与直前に薬液等の液体に溶解させて用いる薬剤を迅速に注射することができる注射器を提供する。【解決手段】プランジャ３９を引き、外筒３内の薬液Ｗを、穴１４，１９、３３を介して薬剤収容部４５へ導入する。これにより薬剤Ｐが薬液Ｗに溶解される。次いで、プランジャ３９を押し込み、薬剤Ｐが溶解された薬液Ｗを外筒３内へ戻す。内筒１１と筒状体２７の少なくとも一方を、その軸心を中心として回動させて、穴１４、１９を閉鎖部３１によって閉鎖し、穴３３は閉鎖部１５によって閉鎖して、外筒３の内部と薬剤収容部４５とが隔絶された状態とする。そして、内筒１１を押し下げて、薬剤Ｐが溶解された薬液Ｗを、針５を介して患者に投与する。【選択図】        図２
2008167844.tif 000002
【特許請求の範囲】
【請求項１】
先端部に針が装着される外筒と、前記外筒に挿入された状態で装着され外筒内の液体を針から押し出す内筒とを有し、前記外筒内に液体が予め充填されている注射器において、薬剤を収容する薬剤収容部と、前記薬剤収容部と外筒内とを隔絶する状態と連通する状態とに切り替える連通切替手段と、前記連通切替手段によって薬剤収容部と外筒内とが連通する状態としてから外筒内の液体を収容部に一旦導入し、且つ前記収容部に導入した液体を薬剤と共に外筒内へ戻す液体導入手段とを備えたことを特徴とする注射器。
【請求項２】
請求項１に記載した注射器において、薬剤収容部は内筒に収容される筒状体の内部に設けられていることを特徴とする注射器。
【請求項３】
請求項１または２に記載した注射器において、連通切替手段は内筒の先端部に設けられた内筒側閉鎖部と前記内筒側閉鎖部の一部が欠落して成る内筒側穴部とを有する内筒側切替部材と、薬剤収容部の先端部開口を覆う収容部側閉鎖部と前記収容部側閉鎖部の一部が欠落して成る収容部側穴部とを有する収容部側切替部材とから成り、前記内筒側切替部材と収容部側切替部材の少なくとも一方が軸心を中心として回動でき、内筒側穴部と収容部側閉鎖部とが重なり、且つ収容部側穴部と内筒側閉鎖部とが重なって前記薬剤収容部と外筒内とが隔絶する状態と、内筒側穴部と収容部側穴部とが重なって前記薬剤収容部と外筒内とが連通する状態とに切り替えることができることを特徴とする注射器。
【請求項４】
請求項３に記載した注射器において、内筒側切替部材は内筒の先端部側を覆う状態に装着されるキャップによって構成されていることを特徴とする注射器。
【請求項５】
請求項３または４において、収容部側切替部材は薬剤収容部の先端部側を覆う状態に装着されるキャップによって構成されていることを特徴とする注射器。
【請求項６】
請求項２から５のいずれかに記載した注射器において、筒状体は内筒に対し回動自在に挿入されていることを特徴とする注射器。
【請求項７】
請求項２から５のいずれかに記載した注射器において、筒状体は内筒に固定されていることを特徴とする注射器。
【請求項８】
請求項２から７のいずれかに記載した注射器において、液体導入手段は、筒状体に軸方向へ動作自在に挿入されたプランジャによって構成されていることを特徴とする注射器。
【請求項９】
請求項７に記載した注射器において、内筒側閉鎖部は、内筒が軸方向へ動作すると内筒と共に動作し、内筒が回動しても回動せず固定状態となるように備えられ、収容部側閉鎖部は内筒が軸方向へ動作すると内筒と共に動作し、且つ内筒が回動すると、内筒と共に回動することを特徴とする注射器。
【請求項１０】
請求項２から９のいずれかに記載した注射器において、内筒側閉鎖部は内筒と外筒との間におけるパッキンと一体に形成されていることを特徴とする注射器。
【発明の詳細な説明】
【技術分野】
【０００１】
本発明は注射器に係り、特に外筒内に液体が予め充填されている注射器に関するものである。
【背景技術】
【０００２】
薬剤の中には投与直前に薬液等の液体に溶解させて用いる必要のあるものが少なくない。これは薬剤を液体に溶解して時間が経過すると、その薬効が低下してしまうからである。この種の薬剤を注射により投与する場合は、液体を注射によって吸い上げて計量して、これを容器へ入れて薬剤を溶解した後、再度注射器で吸い上げて、患者に注射している。
【発明の開示】
【発明が解決しようとする課題】
【０００３】
しかしながら、特に救急医療の現場においては、容器内で薬剤を液体に溶解するための数分間の猶予のないことも多くある。
本発明は上記従来の問題点に着目して為されたものであり、投与直前に薬液等の液体に溶解させて用いる薬剤を迅速に注射することができる注射器を提供することを、その目的とする。
【課題を解決するための手段】
【０００４】
本発明は上記課題を解決するためになされたものであり、請求項１の発明は、先端部に針が装着される外筒と、前記外筒に挿入された状態で装着され外筒内の液体を針から押し出す内筒とを有し、前記外筒内に液体が予め充填されている注射器において、薬剤を収容する薬剤収容部と、前記薬剤収容部と外筒内とを隔絶する状態と連通する状態とに切り替える連通切替手段と、前記連通切替手段によって薬剤収容部と外筒内とが連通する状態としてから外筒内の液体を収容部に一旦導入し、且つ前記収容部に導入した液体を薬剤と共に外筒内へ戻す液体導入手段とを備えたことを特徴とする注射器である。
【０００５】
請求項２の発明は、請求項１に記載した注射器において、薬剤収容部は内筒に収容される筒状体の内部に設けられていることを特徴とする注射器である。
【０００６】
請求項３の発明は、請求項１または２に記載した注射器において、連通切替手段は内筒の先端部に設けられた内筒側閉鎖部と前記内筒側閉鎖部の一部が欠落して成る内筒側穴部とを有する内筒側切替部材と、薬剤収容部の先端部開口を覆う収容部側閉鎖部と前記収容部側閉鎖部の一部が欠落して成る収容部側穴部とを有する収容部側切替部材とから成り、前記内筒側切替部材と収容部側切替部材の少なくとも一方が軸心を中心として回動でき、内筒側穴部と収容部側閉鎖部とが重なり、且つ収容部側穴部と内筒側閉鎖部とが重なって前記薬剤収容部と外筒内とが隔絶する状態と、内筒側穴部と収容部側穴部とが重なって前記薬剤収容部と外筒内とが連通する状態とに切り替えることができることを特徴とする注射器である。
【０００７】
請求項４の発明は、請求項３に記載した注射器において、内筒側切替部材は内筒の先端部側を覆う状態に装着されるキャップによって構成されていることを特徴とする注射器である。
【０００８】
請求項５の発明は、請求項３または４において、収容部側切替部材は薬剤収容部の先端部側を覆う状態に装着されるキャップによって構成されていることを特徴とする注射器である。
【０００９】
請求項６の発明は、請求項２から５のいずれかに記載した注射器において、筒状体は内筒に対し回動自在に挿入されていることを特徴とする注射器である。
【００１０】
請求項７の発明は、請求項２から５のいずれかに記載した注射器において、筒状体は内筒に固定されていることを特徴とする注射器である。
【００１１】
請求項８の発明は、請求項２から７のいずれかに記載した注射器において、液体導入手段は、筒状体に軸方向へ動作自在に挿入されたプランジャによって構成されていることを特徴とする注射器である。
【００１２】
請求項９の発明は、請求項７に記載した注射器において、内筒側閉鎖部は、内筒が軸方向へ動作すると内筒と共に動作し、内筒が回動しても回動せず固定状態となるように備えられ、収容部側閉鎖部は内筒が軸方向へ動作すると内筒と共に動作し、且つ内筒が回動すると、内筒と共に回動することを特徴とする注射器。
【００１３】
請求項１０の発明は、請求項２から９のいずれかに記載した注射器において、内筒側閉鎖部は内筒と外筒との間におけるパッキンと一体に形成されていることを特徴とする注射器である。
である。
【発明の効果】
【００１４】
本発明の注射器によれば、投与直前に薬液等の液体に溶解させて用いる薬剤を迅速に注射することができる。
【発明を実施するための最良の形態】
【００１５】
本発明の実施の形態１に係る注射器１を図１から図８にしたがって説明する。
外筒３の先端部には針５が取り付けられ（図２（ａ）参照）、また後端部には開口６が設けられている。更に外筒３の後端部の外周には、フィンガーフランジ７が設けられている。また、図１に示すように外筒３の外周面には目盛９が設けられている。
【００１６】
内筒１１は先端に円錐部１２を有する円筒状に形成され、この内筒１１の円錐部１２には一対の穴１４が形成されている。内筒１１の先端部側には内筒側切替部材としての合成ゴム製のキャップ１３が装着されている。このキャップ１３の内面は円錐部１２にぴったり嵌まる円錐状に形成されており、キャップ１３の前面によって内筒側閉鎖部としての閉鎖部１５が構成され、この閉鎖部１５の一部が欠落して一対の穴１９が形成されている。一対の穴１９と上記円錐部１２の一対の穴１４とは対応し連通しており、円錐部１２は閉鎖部１５によって覆われている。
【００１７】
上記一対の穴１４と一対の穴１９とによって内筒側穴部が構成されている。
またキャップ１３の外周面には二本の凸条によって構成されるパッキン２１が設けられている。内筒１１の後端部には開口２３が設けられている。更に内筒１１の後端部の外周には、フランジ２５が設けられている。
【００１８】
筒状体２７はほぼ円筒状に形成されており、内筒１１の内径より一回り小さい外径に形成されている。この筒状体２７の先端部側には内筒側切替部材としての合成ゴム製のキャップ２９が装着されている。このキャップ２９の前面によって筒状体側閉鎖部としての閉鎖部３１が構成され、この閉鎖部３１の一部が欠落して筒状体穴部としての一対の穴３３が形成されている。筒状体２７の先端部開口３５はキャップ２９の閉鎖部３１によって覆われている。またキャップ２９の外周面には二本の凸条によって構成されるパッキン３７が設けられている。
筒状体２７の後端部には開口２８が設けられている。更に筒状体２７の後端部の外周には、フランジ３０が設けられている。
キャップ１３、２９、内筒１１及び筒状体２７によって連通切替手段が構成されている。
【００１９】
液体導入手段としてのプランジャ３９はほぼ円柱状に形成されており、筒状体２７の内径より一回り小さい外径に形成されている。このプランジャ３９の先端部にはパッキン４１が装着され、プランジャ３９の後端部の外周には、フランジ４３が設けられている。
【００２０】
図２（ａ）に示すように外筒３の開口６から内筒１１が挿入され、内筒１１の開口２３から筒状体２７が軸方向へ動作自在に挿入されており、更に筒状体２７の開口２８からプランジャ３９が軸方向へ動作自在に挿入されている。そして、キャップ１３のパッキン２１は外筒３の内周面に密着し、キャップ２９のパッキン３７は内筒１１の内周面に密着し、更にプランジャ３９のパッキン４１は筒状体２７の内周面に密着している。
【００２１】
外筒３内には液体としての薬液Ｗが充填されており、また筒状体２７の内部によって構成される薬剤収容部４５には粉状の薬剤Ｐが収容されている。
キャップ２９はキャップ１３に嵌まり込んでおり、図２（ｂ）に示すようにキャップ１３の穴１９とキャップ２９の穴３３は互いに９０度回転した位置になっている。従って、穴１４、１９は閉鎖部３１によって閉鎖され、穴３３は閉鎖部１５によって閉鎖されており、外筒３の内部と薬剤収容部４５とは隔絶された状態となっている。更に針５の先端部側は外筒３に装着される図示しないキャップによって閉鎖されており、よって外筒３内の薬液Ｗは密封されている。
また、薬剤収容部４５内の薬剤Ｐも上記したように穴１９が閉鎖部３１によって閉鎖され、プランジャ３９のパッキン４１が筒状体２７の内周面に密着しているので、密封されている。
【００２２】
次に、この注射器１の使用方法について説明する。
まず、針５の先端部側を閉鎖しているキャップ（図示せず）を外し、内筒１１と筒状体２７の少なくとも一方を、その軸心を中心として回動させ、円錐部１２の穴１４とキャップ１３の穴１９とキャップ２９の穴３３とが互い重なるようにして、薬剤収容部４５と外筒３の内部とが連通する状態とする(図３（ｂ）参照)。
【００２３】
そして、プランジャ３９を引き、図３（ａ）に示すように外筒３内の薬液Ｗを、穴１４，１９、３３を介して薬剤収容部４５へ一旦導入する。これにより薬剤Ｐが薬液Ｗに溶解される。次いで、図４（ａ）に示すようにプランジャ３９を押し込み、薬剤Ｐが溶解された薬液Ｗを外筒３内へ戻す。この状態では穴１４と穴１９と穴３３とが互い重なるようにして、薬剤収容部４５と外筒３の内部とが連通する状態となっている(図４（ｂ）参照)。
【００２４】
次いで、内筒１１と筒状体２７の少なくとも一方を、その軸心を中心として回動させて、図５（ｂ）に示すように、穴１４、１９を閉鎖部３１によって閉鎖し、穴３３は閉鎖部１５によって閉鎖して、外筒３の内部と薬剤収容部４５とが隔絶された状態とする。そして、図５（ａ）に示すように、内筒１１を押し下げて、薬剤Ｐが溶解された薬液Ｗを、針５を介して患者に投与する。
このように注射器１によれば、投与直前に薬剤Ｐを薬液Ｗに溶解させて迅速に注射することができる
【００２５】
次に、注射器１に薬剤Ｐと薬液Ｗを充填する方法について説明する。
図６に示すように、筒状体２７の後端部の開口２８からプランジャ３９を途中まで挿入する。そして、薬剤Ｐを先端部開口３５から薬剤収容部４５へ入れ、キャップ２９を装着する。
次いで、図７に示すように、上記のようにしてプランジャ３９を装着した筒状体２７を内筒１１へ開口２３から挿入する。更に、この内筒１１を外筒３に挿入し、図８（ｂ）に示すように、穴１４、１９が閉鎖部３１によって閉鎖され、穴３３が閉鎖部１５によって閉鎖されて、外筒３の内部と薬剤収容部４５とを隔絶された状態としてから、内筒１１を引き上げて薬液Ｗを先端部から外筒３内へ吸入する。そして、外筒３に針５を取り付け、更に図示しないキャップを装着して、針５の先端部側を閉鎖する。
以上のようにして、注射器１に薬剤Ｐと薬液Ｗを充填、密封する。
【００２６】
本発明の実施の形態２に係る注射器５１を図９から図１８にしたがって説明する。
注射器５１は実施の形態１に係る注射器１と同様の部材を有するので、同様の部材については、実施の形態１で用いた符号を付し、その説明を省略する。
符号５３は内筒を示し、この内筒５３はほぼ円筒状で後端部開口５４には円板５５が形成されている。円板５５には筒状体５７が貫通して一体に設けられており、この筒状体５７後端部は円板５５の背面側へ突出し、この突出部分にフランジ５９が設けられている。筒状体５７の先端部は内筒５３の先端部開口６４から僅かに突出している。
【００２７】
内筒５３の先端部側には内筒側切替部材としてのキャップ７０が嵌められて、内筒５３の先端部開口６４はキャップ７０の閉鎖部７５によって覆われている。このキャップ７０は本体７２と、この本体の内側の中心部に形成された円筒状の被嵌合部７３とを有している。被嵌合部７３は閉鎖部７５に対し一体に設けられ、閉鎖部７５の一部が欠落して形成された内筒側穴部としての一対の穴７７に連通している。
【００２８】
筒状体５７の先端部側には筒状体側切替部材としての合成ゴム製のキャップ６７が装着されている。このキャップ６７の前面によって先端部開口６３が構成され、閉鎖部７１の一部が欠落して筒状体側穴部としての一対の穴６８が形成されている。筒状体５７の先端部開口６３は収容部側切替部材としてのキャップ６７の閉鎖部７１によって覆われている。キャップ６７はキャップ７０の被嵌合部７３に回動自在に嵌められる。
キャップ６７、７０、内筒５３及び筒状体５７によって連通切替手段が構成されている。
【００２９】
次に、この注射器５１の使用方法について説明する。
まず、針５の先端部側を閉鎖しているキャップを外し、内筒５３と共に筒状体５７を、その軸心を中心として回動させて、筒状体５７に装着されたキャップ６７を回動させる。そして、キャップ７０の穴７７とキャップ６７の穴６８とが互い重なるようにして、薬剤収容部４５と外筒３の内部とが連通する状態とする。
【００３０】
上記動作において、キャップ７０はパッキン２１が外筒３の内周面に密着しており、回動方向には動作せず固定状態となっているので、キャップ６７のみが回動して、穴７７と穴６８とが互いに重なる状態にすることができる。なお、キャップ７０、キャップ６７はいずれも軸方向には動作できる。
注射器５１の他の使用方法、薬液Ｗ、薬剤Ｐの充填方法は実施の形態１の注射器１と同様である。
このように、注射器５１では内筒５３と筒状体５７を一体の部材とすることができ、注射器１よりも部品点数を減らすことが可能である。
【００３１】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、薬剤Ｐを粉状のものとしたが、本発明はこれに限定されず、薬剤Ｐを液状のものとすることも可能である。
また、注射器１、５１は針５を外筒３に直接装着するタイプのものを示したが、管を介して針５を装着するタイプの注射器に適用することも可能である。
【産業上の利用可能性】
【００３２】
本発明の注射器は種々の医療分野において、広く利用することが可能である。
【図面の簡単な説明】
【００３３】
【図１】本発明の実施の形態１に係る注射器の分解斜視図である。
【図２】（ａ）は図１の注射器の使用前における縦断面図、（ｂ）は図１の注射器の使用前における内筒に装着されたキャップの穴と筒状体に装着されたキャップの穴との位置関係を示す図である。
【図３】（ａ）は図１の注射器の使用方法を説明するための縦断面図、（ｂ）は図１の注射器の使用方法を説明するための内筒に装着されたキャップの穴と筒状体に装着されたキャップの穴との位置関係を示す図である。
【図４】（ａ）は図１の注射器の使用方法を説明するための縦断面図、（ｂ）は図１の注射器の使用方法を説明するための内筒に装着されたキャップの穴と筒状体に装着されたキャップの穴との位置関係を示す図である。
【図５】（ａ）は図１の注射器の使用方法を説明するための縦断面図、（ｂ）は図１の注射器の使用方法を説明するための内筒に装着されたキャップの穴と筒状体に装着されたキャップの穴との位置関係を示す図である。
【図６】図１の注射器に薬剤を充填する方法を説明するための図である。
【図７】図１の注射器に薬剤を充填する方法を説明するための縦断面図である。
【図８】（ａ）は図１の注射器に薬剤を充填する方法を説明するための縦断面図、（ｂ）は図１の注射器に薬剤を充填する方法を説明するための内筒に装着されたキャップの穴と筒状体に装着されたキャップの穴との位置関係を示す図である。
【図９】本発明の実施の形態２に係る注射器の分解斜視図である。
【図１０】（ａ）は図９の注射器の外筒の平面図、（ｂ）は図９の注射器の外筒の縦断面図である。
【図１１】図９の注射器の内筒の縦断面図である。
【図１２】図９の注射器の筒状体に装着されるキャップの縦断面図である。
【図１３】図９の注射器の外筒に装着されるキャップの縦断面図である。
【図１４】図９の注射器のプランジャの正面図である。
【図１５】（ａ）は図９の注射器の使用方法を説明するための縦断面図、（ｂ）は図９の注射器の使用方法を説明するための内筒に装着されたキャップの穴と筒状体に装着されたキャップの穴との位置関係を示す図である。
【図１６】（ａ）は図９の注射器の使用方法を説明するための縦断面図、（ｂ）は図９の注射器の使用方法を説明するための内筒に装着されたキャップの穴と筒状体に装着されたキャップの穴との位置関係を示す図である。
【図１７】（ａ）は図９の注射器の使用方法を説明するための縦断面図、（ｂ）は図９の注射器の使用方法を説明するための内筒に装着されたキャップの穴と筒状体に装着されたキャップの穴との位置関係を示す図である。
【図１８】（ａ）は図９の注射器の使用方法を説明するための縦断面図、（ｂ）は図９の注射器の使用方法を説明するための内筒に装着されたキャップの穴と筒状体に装着されたキャップの穴との位置関係を示す図である。
【符号の説明】
【００３４】
１  注射器      ５  外筒      ７  針
７  フィンガーフランジ      ９  目盛      １１  内筒
１３  キャップ      １５  閉鎖部      １９  穴
２１  パッキン      ２３  開口      ２５  フランジ
２７  筒状体      ２８  開口      ２９  キャップ
３０  フランジ      ３１  閉鎖部      ３３  穴
３５  先端部開口      ３７  パッキン      ３９  プランジャ
４１  パッキン    ４３  フランジ      ４５  薬剤収容部
５１  注射器      ５３  内筒      ５４  後端部開口
５５  円板      ５７  筒状体      ５９  フランジ
６３  先端部開口      ６５  先端部開口      ６７  キャップ
６９  先端部開口      ７１  閉鎖部      ７０  キャップ
７２  本体      ７３  被嵌合部      ７７  穴
Ｗ  薬液      Ｐ  薬剤
【図２】
2008167844.tif 000003
【図３】
2008167844.tif 000004
【図４】
2008167844.tif 000005
【図５】
2008167844.tif 000006
【図６】
2008167844.tif 000007
【図７】
2008167844.tif 000008
【図８】
2008167844.tif 000009
【図９】
2008167844.tif 000010
【図１０】
2008167844.tif 000011
【図１１】
2008167844.tif 000012
【図１２】
2008167844.tif 000013
【図１３】
2008167844.tif 000014
【図１４】
2008167844.tif 000015
【図１５】
2008167844.tif 000016
【図１６】
2008167844.tif 000017
【図１７】
2008167844.tif 000018
【図１８】
2008167844.tif 000019
【図１】
2008167844.tif 000020